(57)【要約】【課題】挿入部外周面に付着した体液等が術者に付着したり床や周囲に垂れ落ちたりすることを抑制し、手技の容易化を図ることができる処置具及びこれを備える内視鏡処置システムを提供すること。【解決手段】生検鉗子１は、内視鏡が具備する内視鏡挿入部に形成された鉗子口から鉗子チャンネル内に挿通される挿入部７と、挿入部７の先端に接続された鉗子部（処置具先端部）８と、挿入部７の基端に接続されて鉗子部８を操作する操作部１０と、挿入部７及び鉗子部８を開封可能に密封する可撓性のカバー部材１１とを備えている構成とした。【選択図】    図２
2005073759.tif 000002
【特許請求の範囲】
【請求項１】
内視鏡挿入部に形成された鉗子口から鉗子チャンネル内に挿通される挿入部と、
該挿入部の先端に接続された処置具先端部と、
前記挿入部の基端に接続されて前記処置具先端部を操作する操作部と、
前記挿入部及び前記処置具先端部を覆う可撓性のカバー部材とを備え、
該カバー部材が、前記鉗子口と密着して着脱可能な先端取付部と、
先端側が該先端取付部に密着され、基端側が前記操作部に密着された可撓性を有するカバー本体とを備えていることを特徴とする処置具。
【請求項２】
前記先端取付部には、前記鉗子口に取付けた状態で前記挿入部を鉗子口に挿通可能な貫通孔が形成されていることを特徴とする請求項１に記載の処置具。
【請求項３】
前記カバー本体が、透明部材で構成されていることを特徴とする請求項１又は２に記載の処置具。
【請求項４】
前記カバー本体の先端は、開封可能に閉じられていることを特徴とする請求項１から３の何れか一つに記載の処置具。
【請求項５】
前記カバー本体の基端側には、前記操作部を密封する開封可能な基端側密封部が設けられていることを特徴とする請求項１から４の何れか一つに記載の処置具。
【請求項６】
前記先端取付部が、Ｏリングであることを特徴とする請求項１から５の何れか一つに記載の処置具。
【請求項７】
前記先端取付部に、前記貫通孔を覆うとともに開閉可能な蓋部が設けられていることを特徴とする請求項１から５の何れか一つに記載の処置具。
【請求項８】
内視鏡が備える内視鏡挿入部内に形成された鉗子口から鉗子チャンネル内に挿通される挿入部と、
該挿入部の先端に接続される処置具先端部と、
前記挿入部の基端に接続されて前記処置具先端部を操作する操作部と、
該挿入部及び前記処置具先端部を覆うカバー部材とを備え、
該カバー部材が、可撓性、かつ、吸水性を有する吸水部材を備えていることを特徴とする処置具。
【請求項９】
請求項１から８の何れか一つに記載の処置具と、
該処置具の前記先端取付部が着脱自在に形成された鉗子口を有する内視鏡とを備えていることを特徴とする内視鏡処置システム。
【発明の詳細な説明】
【技術分野】
【０００１】
本発明は、内視鏡とともに使用する処置具及びこれを備える内視鏡処置システムに関する。
【背景技術】
【０００２】
従来より、可撓性の内視鏡挿入部を体腔内に挿入して患部を観察しながら、この内視鏡挿入部に設けられた鉗子チャンネルに鉗子口から挿通して様々な処置を行う生検鉗子等の処置具が知られている（例えば、特許文献１参照。）。
【特許文献１】特開平１１−７６２４４号公報  （第１図）
【発明の開示】
【発明が解決しようとする課題】
【０００３】
しかしながら、上記従来の処置具は、挿通した鉗子チャンネル内が体液等の液体で濡れている場合、挿入部の外周面であるコイル状の巻線間に体液等の液体が溜まってしまい、鉗子チャンネルから抜去する際に液体が内視鏡外で垂れ落ちることがあるため、この処理等のために手技が煩雑になってしまうという問題があった。
本発明は上記事情に鑑みて成されたものであり、挿入部外周面に付着した体液等が術者等に付着したり床や周囲に垂れ落ちたりすることを抑制し、手技の容易化を図ることができる処置具及びこれを備える内視鏡処置システムを提供することを目的とする。
【課題を解決するための手段】
【０００４】
本発明は、上記課題を解決するため、以下の手段を採用する。
本発明に係る処置具は、内視鏡挿入部に形成された鉗子口から鉗子チャンネル内に挿通される挿入部と、該挿入部の先端に接続された処置具先端部と、前記挿入部の基端に接続されて前記処置具先端部を操作する操作部と、前記挿入部及び前記処置具先端部を覆うカバー部材とを備え、該カバー部材が、前記鉗子口と密着して着脱可能な先端取付部と、先端側が該先端取付部に密着され、基端側が前記操作部に密着された可撓性を有するカバー本体とを備えていることを特徴とする。
【０００５】
この処置具は、上記の構成を備えているので、密封されたカバー部材を使用直前に開封して先端取付部を鉗子口に取付け、カバー本体を備えた状態でこれを収縮させながら挿入部及び処置具先端部を鉗子チャンネル内に挿通することによって、これらをカバー部材で覆った状態で再び鉗子口の外に取り出すことができる。このため、挿入部外周面に付着した体液等が鉗子口の外で垂れ落ちても、カバー本体でこれを遮蔽することができ、術者等に付着したり床や周囲に垂れ落ちたりするのを抑えることができる。
また、カバー部材で密封した挿入部及び処置具先端部を滅菌することによって、使用直前まで滅菌状態を維持することができ、カバー部材を従来の滅菌パックとして使用することができる。
【０００６】
また、本発明の処置具は、前記処置具であって、前記先端取付部には、前記鉗子口に取付けた状態で前記挿入部を鉗子口に挿通可能な貫通孔が形成されていることが好ましい。
この処置具は、上記の構成を備えているので、先端取付部を介して鉗子チャンネルに挿入部を挿抜させることができる。したがって、先端取付部と鉗子口とを接続させている間カバー部材内部を密封状態にすることができ、カバー部材から液体が漏れることをより効果的に防ぐことができる。
【０００７】
また、本発明の処置具は、前記処置具であって、前記カバー本体が、透明部材で構成されていることが好ましい。
この処置具は、上記の構成を備えているので、鉗子口への挿入時や抜去時に挿入部等を確認しながら行うことができ、挿脱操作を確実に行うことができる。
【０００８】
また、本発明の処置具は、前記処置具であって、前記カバー本体の先端は、開封可能に閉じられていることが好ましい。
この処置具は、上記の構成を備えているので、従来のように滅菌パックを開封した後にそこから処置具を取り出す必要がなく、カバー部材を開封してそのまま挿入部を鉗子チャンネル内に挿入することができる。
【０００９】
また、本発明の処置具は、前記処置具であって、前記カバー本体の基端側には、前記操作部を密封する開封可能な基端側密封部が設けられていることが好ましい。
この処置具は、上記の構成を備えているので、カバー部材で密封した挿入部及び処置具先端部とともに操作部もあわせて密閉して滅菌することによって、これらを使用直前まで滅菌状態を維持することができ、カバー部材を操作部まで含めた滅菌パックとして使用することができる。
【００１０】
また、本発明の処置具は、前記処置具であって、前記先端取付部が、Ｏリングであることが好ましい。
この処置具は、上記の構成を備えているので、鉗子口と高い密封性を有して密着させることができるとともに、簡易な構成で容易に着脱可能とすることができる。
【００１１】
また、本発明の処置具は、前記処置具であって、前記先端取付部に、前記貫通孔を覆うとともに開閉可能な蓋部が設けられていることが好ましい。
この処置具は、上記の構成を備えているので、挿入部を鉗子口から抜き取った後に貫通孔を蓋部で塞ぐことによって挿入部を再びカバー部材で覆うことができ、液垂れをより効果的に抑えることができる。
【００１２】
また、本発明の処置具は、内視鏡が備える内視鏡挿入部内に形成された鉗子口から鉗子チャンネル内に挿通される挿入部と、該挿入部の先端に接続される処置具先端部と、前記挿入部の基端に接続されて前記処置具先端部を操作する操作部と、該挿入部及び前記処置具先端部を覆うカバー部材とを備え、該カバー部材が、可撓性、かつ、吸水性を有する吸水部材を備えていることを特徴とする。
【００１３】
この処置具は、上記の構成を備えているので、鉗子口の外に吸水部材を備えた状態で挿入部及び処置具先端部を鉗子チャンネル内に挿通することによって、挿入部を取り出す際に外周面に付着した体液等を吸水部材に吸水させながら抜去することができる。したがって、体液等が術者等に付着したり挿入部から床や周囲に垂れ落ちたりするのを抑えることができる。
【００１４】
本発明に係る内視鏡処置システムは、本発明に係る処置具と、該処置具の前記先端取付部が着脱自在に形成された鉗子口を有する内視鏡とを備えていることを特徴とする。
この内視鏡処置システムは、上記の構成を備えているので、処置具の挿入部外周面に付着した体液等が鉗子口の外で垂れ落ちても、カバー本体でこれを遮蔽することができ、術者等に付着したり床や周囲に垂れ落ちたりするのを抑えることができる。
また、カバー部材で密封した挿入部及び処置具先端部を滅菌することによって、使用直前まで滅菌状態を維持することができ、カバー部材を従来の滅菌パックとして使用することができる。
【発明の効果】
【００１５】
本発明によれば、内視鏡の鉗子チャンネル内から処置具を引き抜く際に、処置具の挿入部外周面に付着した体液等の液体が術者等に付着したり床や周囲に垂れ落ちたりすることを抑制でき、手技の容易化を図ることができる。
【発明を実施するための最良の形態】
【００１６】
本発明の第１の実施形態について、図１及び図２を参照して説明する。
本実施形態に係る内視鏡処置システムＡは、図１に示すように、生検鉗子（処置具）１と、生検鉗子１が挿入される軟性の内視鏡２とを備えている。
この生検鉗子１は、内視鏡２が具備する内視鏡挿入部３に形成された鉗子口５から鉗子チャンネル６内に挿通される挿入部７と、挿入部７の先端に接続された鉗子部（処置具先端部）８と、挿入部７の基端に接続されて鉗子部８を操作する操作部１０と、挿入部７及び鉗子部８を覆う可撓性のカバー部材１１とを備えている。
【００１７】
挿入部７はコイル状の巻線からなるシース管部１２とこのシース管部１２内に配された図示しない操作ワイヤ部とを備えている。
鉗子部８は、椀状に形成され互いに開閉可能とされた一対のカップ状鉗子片１３、１５を備え、操作ワイヤ部の進退操作によって開閉される。
操作部１０は、挿入部と接続された操作部本体１６と、操作ワイヤ部に接続されたスライド部１７とを備えている。
【００１８】
カバー部材１１は、鉗子口５と密着して着脱可能な環状のＯリング（先端取付部）１８と、先端１１ａ側がＯリング１８に密着され、基端１１ｂ側が操作部本体１６に固着された可撓性を有するカバー本体２０とを備えている。
Ｏリング１８は、カバー部材１１の先端１１ａ近傍に、カバー本体２０とこのカバー本体２０内周面に配されたＯリング固定シート２１との間に配設されている。Ｏリング１８は、ゴム製とされ、鉗子口５に取付けられた状態で挿入部７を鉗子口５に挿通可能な貫通孔２２が中央に形成されている。
【００１９】
カバー本体２０は、例えば、特開平８−５２８１６号公報に記載のポリオレフィン系樹脂を主成分とする気体透過性フィルムからなる透明部材で構成されており、細長の袋状に形成されている。カバー本体２０の先端２０ａ側の一部がヒートシール或いは接着剤によって密封可能に閉じられ、先端２０ａがカバー本体２０を開封可能とする開封部２３とされている。
また、カバー本体２０の基端２０ｂ側には、操作部本体１６に至る周縁部がヒートシール或いは接着剤によって操作部１０を開封可能に密封する基端側密封部２４が設けられており、基端２０ｂに基端側密封部２４を開封可能とする開封部２３が形成されている。
【００２０】
次に、以上の構成からなる本実施形態の内視鏡システムＡの使用方法について説明する。
まず、生検鉗子１の挿入部７、鉗子部８、及び操作部１０をカバー部材１１及び基端側密封部２４内に収納し、ヒートシール或いは接着剤によって密封して滅菌状態とする。
この生検鉗子１を内視鏡２に装着して使用するときに、図２に示す基端側密封部２４の開封部２３を引き剥がして操作部本体１６から破り去り、操作部１０を外部に露出させる。
内視鏡挿入部３を体腔内に挿入した後、カバー本体２０の先端２０ａ側の開封部２３をカバー本体２０の先端２０ａ側が開口する程度に引き剥がして開封状態とし、Ｏリング１８を広げて貫通孔２２を鉗子口５の外周に係合させて取付ける。そして、挿入部７を貫通孔２２に挿通させながら鉗子チャンネル６内に挿入する。この際、図１に示すように、挿入部７の挿入につれてカバー本体２０は軸方向にくしゃくしゃになりながら縮んでいく。
こうして、鉗子部８を内視鏡挿入部３の先端から突出させて所定の処置を行う。
【００２１】
処置終了後、挿入部７を鉗子チャンネル６から抜去する。このとき、挿入部７を鉗子口５から抜去するにつれてカバー本体２０が軸方向に伸ばされていく。この際、処置の際に鉗子チャンネル６を介して体液や生理食塩水等の液体を吸引操作した場合、鉗子チャンネル６内にこれらの液体が付着しているため挿入部７の巻線間に液体が溜まっている。そのため、鉗子口５から外側に露出した挿入部７から液体が垂れ落ちてくる。
このとき、挿入部７がカバー部材１１内にあるため、体液等はカバー部材１１内に留まり外部には漏れない。
【００２２】
この内視鏡処置システムＡによれば、生検鉗子１の挿入部７の外周面に付着した体液等が鉗子口５の外で垂れ落ちてきても、カバー本体２０でこれを遮蔽することができ、術者等に付着したり床や周囲に垂れ落ちたりするのを抑えることができる。
また、カバー部材１１で密封した挿入部７、鉗子部８、及び操作部１０を滅菌することによって、使用直前まで滅菌状態を維持することができ、カバー部材１１を滅菌パックとしても使用することができる。したがって、従来のように滅菌パックを開封して処置具を取り出す必要がなく、カバー本体２０を開封してそのまま鉗子部８を鉗子チャンネル６内に挿入することができる。
さらに、鉗子口５への挿入時や抜去時に挿入部７の状況を確認しながら行うことができ、着脱操作を確実に行うことができる。
また、Ｏリング１８によってカバー部材１１と鉗子口５とを高い密封性を有して密着させることができるとともに、簡易な構成で容易に着脱可能とすることができる。
【００２３】
次に、本発明に係る第２の実施形態について、図３を参照して説明する。なお、以下の説明において、上記実施形態において説明した構成要素には同一符号を付し、その説明は省略する。
第２の実施形態が上記第１の実施形態と異なる点は、第１の実施形態では生検鉗子１の先端取付部をＯリング１８としているが、第２の実施形態ではスリット（貫通孔）２５が中央部に形成された弁体（先端取付部）２６とした点である。
この生検鉗子２７は、第１の実施形態と同様の構成を有するが、カバー部材２８の先端２８ａ側には、鉗子口５と密着して着脱可能な弁体２６が配設されている。
すなわち、弁体２６は鉗子口５に接続される鉗子栓と同様な形状を有するゴム製の円柱形状とされ、先端面２６ａには、鉗子口５と係合可能な凹部２６Ａが形成され、基端面２６ｂの中央部には、挿入部７が貫通可能なスリット２５が形成されている。カバー本体２０の内周面にヒートシール或いは接着剤によって密着されている。
【００２４】
この生検鉗子２７によれば、第１の実施形態と同様の作用・効果を得ることができるとともに、鉗子栓の代わりに弁体２６を鉗子口５に係合させることによって、より安定的にカバー部材１１を鉗子口５に取り付けることができる。
【００２５】
次に、本発明に係る第３の実施形態について、図４を参照して説明する。なお、以下の説明において、上記実施形態において説明した構成要素には同一符号を付し、その説明は省略する。
第３の実施形態が上記第２の実施形態と異なる点は、カバー部材２８が、弁体２６の凹部２６Ａと係合可能な凸部３０Ａが形成された円板状の蓋部３０を備えているとした点である。
この蓋部３０は、ゴム製の中継部材３１によって、弁体２６が密着されているカバー部材２８の外周面に接続されている。
【００２６】
以上の構成からなる本実施形態の生検鉗子３２の使用方法について説明する。
本実施形態においても、内視鏡２に装着して使用するときには、まず、基端側密封部２４の開封部２３を引き剥がして破り去って操作部１０を外部に露出させ、続いてカバー本体２０の先端２０ａを開口する程度に引き剥がす。そして、弁体２６の凹部２６Ａを鉗子口５に係合後、挿入部７をスリット２５に挿通させながら鉗子チャンネル６内に挿入する。この際、第１の実施形態と同様に、挿入部７の挿入につれてカバー本体２０は軸方向にくしゃくしゃになりながら縮んでいく。
こうして、鉗子部８を内視鏡挿入部３の先端から突出させて所定の処置を行う。
【００２７】
処置終了後、第１の実施形態と同様に挿入部７を鉗子チャンネル６から抜去するにつれて、カバー本体２０が軸方向に伸ばされていく。
鉗子口５から完全に抜去した後は、弁体２６を鉗子口５から取り外すとともに、中継部材３１につながれた蓋部３０の凸部３０Ａと弁体２６の凹部２６Ａとを係合させてスリット２５を塞ぎ、挿入部７と鉗子部８とをカバー本体２０内に収納する。
この際、挿入部７の巻線間に体液等の液体が溜まって、鉗子口５から外側に露出した挿入部７から液体が垂れ落ちてきても、挿入部７がカバー部材２８内にあるため、体液等はカバー部材２８内に留まり外部に漏れず、術者等に体液等が付着したり床や周囲に垂れ落ちたりすることなく処置される。
この生検鉗子３２によれば、挿入部７を鉗子口５から抜去した後にスリット２５を蓋部３０で塞ぐことによって挿入部７を再びカバー部材２８で覆うことができ、鉗子部８の先端からの液垂れもより効果的に抑えることができる。
【００２８】
次に、本発明に係る第４の実施形態について、図５を参照して説明する。なお、以下の説明において、上記実施形態において説明した構成要素には同一符号を付し、その説明は省略する。
第４の実施形態が上記実施形態と異なる点は、第１の実施形態ではカバー部材１１に先端取付部としてをＯリング１８が配設されたとしているが、第４の実施形態ではカバー部材３３が、可撓性、かつ、吸水性を有する吸水部材３５を備えているとした点である。
【００２９】
この生検鉗子３６は、第１の実施形態と同様に、内視鏡２が備える内視鏡挿入部３内に形成された鉗子口５から鉗子チャンネル６内に挿通される挿入部７と、挿入部７の先端に接続される鉗子部８と、挿入部７の基端に接続されて鉗子部８を操作する操作部１０と、挿入部７及び鉗子部８を覆うカバー部材３３とを備えている。
カバー部材３３は、カバー本体２０と、このカバー本体２０内の先端２０ａ側に挿入部７と接触されて配されるとともに、可撓性、かつ、吸水性を有する吸水部材３５とを備えている。
【００３０】
以上の構成からなる本実施形態の生検鉗子３６の使用方法について説明する。
まず、上記実施形態と同様に、挿入部７、鉗子部８、及び操作部１０をカバー部材１１及び基端側密封部２４内に収納し、ヒートシール或いは接着剤によって密封して滅菌状態とする。
内視鏡２に装着して使用するときに、基端側密封部２４の開封部２３を剥がし取って開封し、操作部１０を外部に露出させる。
内視鏡挿入部３を体腔内に挿入した後、カバー本体２０の先端２０ａ側の開封部２３をカバー本体２０の先端２０ａが開口する程度に引き剥がして開封状態とし、挿入部７及び鉗子部８を鉗子口５から鉗子チャンネル６内に挿入する。この際、第１の実施形態と同様に、挿入部７の挿入につれてカバー本体２０はくしゃくしゃになりながら軸方向に縮んでいく。この際、吸水部材３５も鉗子口５の外側でカバー本体２０とともに縮む。
こうして、鉗子部８を内視鏡挿入部３の先端から突出させて所定の処置を行う。
【００３１】
処置終了後、上記実施形態と同様に挿入部７を鉗子チャンネル６から抜去するにつれて、カバー本体２０と吸水部材３５とが軸方向に伸ばされていく。
このとき、吸水部材３５が挿入部７外周面と接触しているので、挿入部７の巻線間に溜まった体液等が吸水部材３５に吸収される。また、この吸水部材３５はカバー本体２０内に配された状態のままなので、体液等はカバー部材３３内に留まり外部に漏れずに、術者等に体液等が付着したり床や周囲に垂れ落ちたりしない状態で処置される。
この生検鉗子３６によれば、挿入部７を鉗子チャンネル６から抜去する際に、外周面に付着した体液等を吸水部材３５に吸水させながら取り出すことができる。したがって、体液等が術者等に付着したり挿入部７から床や周囲に垂れ落ちたりするのを抑えることができる。
【００３２】
なお、本発明の技術範囲は上記実施の形態に限定されるものではなく、本発明の趣旨を逸脱しない範囲において種々の変更を加えることが可能である。
例えば、第１の実施形態では、先端取付部をＯリング１８としているが、図６及び図７に示すように、径方向に伸縮自在とされるゴム製のリング部材３７であっても構わない。
このリング部材３７の貫通孔３８は、縮んだ状態では挿入部７の外周面と密着される大きさとされ、径方向に伸びた状態では鉗子口５に取付可能な大きさとされている。
この場合、挿入部外周面と貫通孔３８の内面とが密着しているので、挿入部７先端側への体液等の液垂れを遮ることができる。
【００３３】
また、カバー本体や基端側密封部を開封可能とする切欠部が形成されていてもよい。この場合、開封部２３を剥がす代わりに、切欠部を切開してカバー本体や基端側密封部を開封することができる。
さらに、第３の実施形態では、蓋部３０が中継部材３１によってカバー部材２８に接続されているが、弁体２６に直接接続されて弁体２６とともにカバー本体２０内に備えられているとしても構わない。
また、Ｏリング１８やリング部材３７の配設位置は、カバー本体２０の先端２０ａ近傍に限らず、図８に示すように先端２０ａ側であれば構わない。
【図面の簡単な説明】
【００３４】
【図１】本発明の第１の実施形態に係る処置具を軟性内視鏡内に挿入した状態を示す平面図である。
【図２】本発明の第１の実施形態に係る処置具を示す一部断面を含む平面図である。
【図３】本発明の第２の実施形態に係る処置具を示す一部断面を含む平面図である。
【図４】本発明の第３の実施形態に係る処置具を示す一部断面を含む平面図である。
【図５】本発明の第４の実施形態に係る処置具を示す一部断面を含む平面図である。
【図６】本発明の他の実施形態に係る処置具を示す一部断面を含む平面図である。
【図７】本発明の他の実施形態に係る処置具を示す一部断面を含む平面図である。
【図８】本発明の他の実施形態に係る処置具を示す一部断面を含む平面図である。
【符号の説明】
【００３５】
１、２７、３２、３６  生検鉗子（処置具）
２  内視鏡
３  内視鏡挿入部
５  鉗子口
６  鉗子チャンネル
７  挿入部
８  鉗子部（処置具先端部）
１０  操作部
１１、２８、３３  カバー部材
１８  Ｏリング（先端取付部）
２０  カバー本体
２０ａ  カバー本体先端
２０ｂ  カバー本体基端
２２、３８  貫通孔
２４  基端側密封部
２５  スリット（貫通孔）
２６  弁体（先端取付部）
３０  蓋部
３５  吸水部材
３７  リング部材（先端取付部）
Ａ  内視鏡処置システム
【図１】
2005073759.tif 000003
【図２】
2005073759.tif 000004
【図３】
2005073759.tif 000005
【図４】
2005073759.tif 000006
【図５】
2005073759.tif 000007
【図６】
2005073759.tif 000008
【図７】
2005073759.tif 000009
【図８】
2005073759.tif 000010